【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
人工呼吸器を操作して圧力吸気酸素濃度（ＦｉＯ２）を制御するための人工呼吸器システムであって、
患者のパルス酸素濃度を測定するパルス酸素濃度計と、
ＦｉＯ２流量コントローラであって、該流量コントローラは前記患者へのＦｉＯ２の流量を制御する、ＦｉＯ２流量コントローラと、
前記患者のパルス酸素濃度を測定し、測定されたパルス酸素濃度値を出力する手段と、
前記患者の測定パルス酸素濃度値を一定期間にわたって平均する手段と、
前記患者の測定されたパルス酸素濃度値の平均に応答する人工呼吸器コントローラを備える手段であって、前記ＦｉＯ２流量コントローラは、該人工呼吸器コントローラに応答し、前記患者へのＦｉＯ２の前記流量を制御する手段と、
前記患者の測定パルス酸素濃度値を平均する期間を選択する手段と、
第１、第２、および第３のパルス酸素濃度レベルを前記人工呼吸器コントローラの設定点として選択する手段と、
、下限、上限、および中点を持つＦｉＯ２動作範囲を選択する手段であって、前記範囲の前記中点が前記下限と前記上限の和の１／２に等しい、手段と、
ＦｉＯ２の流量を減少させる第１の増分量およびＦｉＯ２の流量を増大させる第２の増分量を選択する手段と、
更新時間間隔が前記人工呼吸器コントローラによる前記設定点と前記患者の前記測定された平均パルス酸素濃度の比較の間の時間の間隔である、該更新時間間隔を選択する手段と、
ＦｉＯ２流量コントローラを前記動作範囲の前記中点に等しい流量に設定する手段と、
前記平均パルス酸素濃度値が第１のレベルよりも高い場合にＦｉＯ２の前記流量を前記第１の増分量だけ減少させる手段と、
前記平均パルス酸素濃度値が第２のレベルよりも低い場合にＦｉＯ２の前記流量を前記第２の増分量だけ増大させる手段と、
前記平均パルス酸素濃度値が前記第３のレベルよりも低い場合にＦｉＯ２の前記流量を最大流量まで増大させる手段と、
を含むシステム。
【請求項２】
人工呼吸器を操作して圧力吸気酸素濃度（ＦｉＯ２）を制御するための人工呼吸器システムであって、
患者のパルス酸素濃度を測定するパルス酸素濃度計と、
ＦｉＯ２流量コントローラであって、該流量コントローラは前記患者へのＦｉＯ２の流量を制御する、ＦｉＯ２流量コントローラと、
前記患者のパルス酸素濃度を測定し、測定されたパルス酸素濃度値を出力する手段と、
前記患者の測定パルス酸素濃度値を一定期間にわたって平均する手段と、
前記患者の測定されたパルス酸素濃度値の平均に応答する人工呼吸器コントローラを備える手段であって、該ＦｉＯ２流量コントローラは、前記人工呼吸器コントローラに応答し、前記患者へのＦｉＯ２の前記流量を制御する、手段と、
前記患者の測定パルス酸素濃度値を平均する期間を選択する手段と、
第１、第２、および第３のパルス酸素濃度レベルを前記人工呼吸器コントローラの設定点として選択する手段と、
、下限、上限、および中点を持つＦｉＯ２動作範囲を選択する手段であって、前記範囲の前記中点が前記下限と前記上限の和の１／２に等しい、手段と、
ＦｉＯ２の流量を減少させる第１の増分量およびＦｉＯ２の流量を増大させる第２の増分量を選択する手段と、
更新時間間隔が前記人工呼吸器コントローラによる前記設定点と前記患者の前記測定された平均パルス酸素濃度の比較の間の時間の間隔である、該更新時間間隔を選択する手段と、
ＦｉＯ２流量コントローラを前記動作範囲の前記中点に等しい流量に設定する手段と、
前記平均パルス酸素濃度値が第１のレベルよりも高い場合にＦｉＯ２の前記流量を前記第１の増分量だけ減少させる手段と、
前記平均パルス酸素濃度値が第２のレベルよりも低い場合にＦｉＯ２の前記流量を前記第２の増分量だけ増大させる手段と、
前記平均パルス酸素濃度値が前記第３のレベルよりも低い場合にＦｉＯ２の前記流量を最大流量まで増大させ、アラーム状態を開始する手段と、
アラーム状態が開始された後に、ＦｉＯ２の前記流量を前記最大値に維持する手段と、
前記平均パルス酸素濃度値が前記第３のレベルよりも高くなったときに前記アラーム状態をリセットする手段と、
を含むシステム。
【請求項３】
さらに、前記平均パルス酸素濃度値が、前記第３のレベルよりも低い場合に、ＦｉＯ２の前記流量を前記最大値に維持する手段とアラーム状態を開始する手段とを含む請求項１又は２に記載のシステム。
【請求項４】
前記人工呼吸器コントローラは、前記患者の前記平均パルス酸素濃度値に基づいてＦｉＯ２の前記流量を自動調節するソフトウェアを備える請求項１又は２に記載のシステム。
【請求項５】
ＦｉＯ２の前記流量は、前記平均パルス酸素濃度値が、前記第１のレベルと前記第２のレベルとの間にある場合には変化しない請求項１又は２に記載のシステム。
【請求項６】
前記アラーム状態により、可聴アラーム信号、視覚的アラーム信号、または可聴アラーム信号と視覚的アラーム信号の両方が作動する請求項１又は２に記載のシステム。
【請求項７】
人工呼吸器を操作して圧力吸気酸素濃度（ＦｉＯ２）を制御するための人工呼吸器システムであって、
患者のパルス酸素濃度を測定するパルス酸素濃度計と、
ＦｉＯ２流量コントローラであって、該流量コントローラは前記患者へのＦｉＯ２の流量を制御する、ＦｉＯ２流量コントローラと、
前記患者のパルス酸素濃度を測定し、測定されたパルス酸素濃度値を出力する手段と、
前記患者の測定パルス酸素濃度値を一定期間にわたって平均する手段と、
前記患者の測定されたパルス酸素濃度値の平均に応答する人工呼吸器コントローラを備える手段であって、前記ＦｉＯ２流量コントローラは、該人工呼吸器コントローラに応答し、前記患者へのＦｉＯ２の前記流量を制御する、手段と、
前記人工呼吸器コントローラに対する設定点として第１、第２、および第３のパルス酸素濃度レベルを選択する手段であって、ＦｉＯ２の前記流量は、該パルス酸素濃度が該第１のレベルと該第２のレベルとの間であるときには変化しない、手段と、
、下限、上限、および中点を持つＦｉＯ２動作範囲を選択する手段であって、前記範囲の前記中点が前記下限と前記上限の和の１／２に等しい手段と、
ＦｉＯ２の流量を減少させる第１の増分量およびＦｉＯ２の流量を増大させる第２の増分量を選択する手段と、
更新時間間隔が人工呼吸器コントローラによる設定点と患者の測定されたパルス酸素濃度の比較の間の時間の間隔であり、更新時間は少なくとも３０秒である、該更新時間間隔を選択する手段と、
ＦｉＯ２流量コントローラを前記動作範囲の前記中点に等しい流量に設定する手段と、
前記平均パルス酸素濃度値が前記第１のレベルよりも高く、前記流量がＦｉＯ２動作範囲の前記下限以上のときに、ＦｉＯ２の前記流量を前記第１の増分量だけ減少させる手段と、
前記平均パルス酸素濃度値が前記第２のレベル未満で、前記流量がＦｉＯ２動作範囲の上限以下のときに、ＦｉＯ２の前記流量を前記第２の増分量だけ増大させる手段と、
前記平均パルス酸素濃度値が前記第３のレベルよりも低い場合にＦｉＯ２の前記流量を最大流量まで増大させ、アラーム状態を開始し、前記更新時間は、該アラーム状態が開始されたときに、１分未満に自動的に設定される手段と、
アラーム状態が開始された後に、ＦｉＯ２の前記流量を前記最大値に維持する手段と、
前記平均パルス酸素濃度値が前記第３のレベルよりも高くなったときに前記アラーム状態をリセットする手段と、
を含む人工呼吸器を操作するシステム。
【請求項８】
患者に供給される空気中の圧力吸気酸素濃度（ＦｉＯ２）を制御するための人工呼吸器システムであって、
患者の前記パルス酸素濃度を測定し、それに対する応答として出力信号を発生するパルス酸素濃度計と、
キーパッド、ディスプレイ、およびソフトウェアアルゴリズムであって、該キーパッドおよびディスプレイは更新時間間隔、第１のパルス酸素濃度レベル設定点、第２のパルス酸素濃度レベル設定点、第３のパルス酸素濃度レベル設定点、ＦｉＯ２流量範囲、ＦｉＯ２の流量を減少させるための第１の増分量、ＦｉＯ２の流量を増大させるための第２の増分量、および前記患者の測定パルス酸素濃度値を平均する期間を入力するように適合されているキーパッド、ディスプレイ、およびソフトウェアアルゴリズムを備える人工呼吸器コントローラと、
前記人工呼吸器コントローラに応答するＦｉＯ２流量コントローラと、
前記空気を前記患者に供給するための顔マスク、鼻マスク、または気管内チューブと、を備え、
前記人工呼吸器コントローラソフトウェアアルゴリズムは、平均パルス酸素濃度値を計算し、前記更新時間間隔の終了時に、該平均パルス酸素濃度値と前記第１、第２、および第３のパルス酸素濃度レベル設定点とを比較し、前記人工呼吸器コントローラは、ＦｉＯ２の前記流量が該平均パルス酸素濃度値が前記第１のレベルよりも高い場合に第１の増分量だけ減少し、該平均パルス酸素濃度値が前記第２のレベルよりも低い場合に第２の増分量だけＦｉＯ２の前記流量を増大し、該平均パルス酸素濃度値が前記第３のレベルよりも低い場合にＦｉＯ２の前記流量を最大流量まで増大するように、ＦｉＯ２の前記流量を自動制御する、人工呼吸器システム。
【請求項９】
前記更新時間間隔は、人工呼吸器コントローラソフトウェアアルゴリズムによる前記設定点と前記パルス酸素濃度計の前記出力信号の比較の間の時間の間隔である請求項８に記載の人工呼吸器システム。
【請求項１０】
前記流量コントローラは、制御弁を備える請求項８に記載の人工呼吸器システム。